(57)【特許請求の範囲】
【請求項１】
下水管の内壁を洗浄する下水管洗浄装置であって、
回転可能のボデーと、前記ボデーの周面に設けられる複数のノズルと、前記ボデーを支持するための脚部とからなり、
前記ボデーは中空の筒状に形成され一端部にホースが接続され、
前記ノズルは前記ボデーの周面に設けられ、前記脚部が適宜数のジョイントからなることを特徴とする下水管洗浄装置。
【請求項２】
請求項１記載の下水管洗浄装置において、前記脚部は前記ボデーの周面に所定角に拡開されて設けられることを特徴とする下水管洗浄装置。
【請求項３】
請求項１又は請求項２記載の下水管洗浄装置において、前記脚部の先端にはそりが設けられることを特徴とする下水管洗浄装置。
【請求項４】
請求項１記載の下水管洗浄装置において、上記ボデーの両端部にベアリングを取り付けることを特徴とする下水管洗浄装置。
【請求項５】
請求項１記載の下水管洗浄装置において、前記ボデーが八角柱体状であることを特徴とする下水管洗浄装置。
【請求項６】
請求項１記載の下水管洗浄装置において、前記ボデーが円筒体状であることを特徴とする下水管洗浄装置。
【請求項７】
請求項１記載の下水管洗浄装置において、前記ノズルが８本であることを特徴とする下水管洗浄装置。
【請求項８】
請求項１記載の下水管洗浄装置において、前記ボデーの他端部は閉塞されていることを特徴とする下水管洗浄装置。
【発明の詳細な説明】
【技術分野】
【０００１】
本願発明は、下水管の内壁を洗浄するための下水管洗浄装置に関する。
【背景技術】
【０００２】
下水管は、使用期間の経過に伴い土砂等の堆積やラード等の付着が起こるため、適宜に保守作業をする必要があり、これを怠ると下水が流れにくくなり悪臭等の原因となる。この保守作業としてはまず内壁の洗浄があり、内壁に損傷がある場合にはライニングを施す必要がある。また、ライニングを施す場合には事前に内壁を洗浄する必要がある。
【０００３】
従来の下水管の洗浄方法は、人手によるものや、高圧洗浄車、吸引車等によるものが主流であるが、なかには洗浄装置を下水管内に挿通するものもあった。
【０００４】
この洗浄装置は、ノズルの回転軸を洗浄対象となる管の長軸に一致させ、噴射の方向を洗浄対象となる管の長さ方向に略一致させるものであり、ノズル回転の動力としてモータを利用するものであった。
【０００５】
しかし、噴射の方向を洗浄対象となる管の長さ方向に略一致させるため、水流が内壁に対して略並行にぶつかるので、水流が内壁に対して直角にぶつかるのに比しムダが多くなり、効率的であるとはいえなかった。
【特許文献１】特表昭５８−５００６１９号公報
【発明の開示】
【発明が解決しようとする課題】
【０００６】
本願発明は前記従来の欠点に鑑み、脚部の長さ調節を下水管の口径に対応させて事前に行なうことにより下水管の内壁を効率的に洗浄する装置を供する。
【課題を解決するための手段】
【０００７】
前記目的達成のため、本願発明による下水管洗浄装置は、下水管の内壁を洗浄する下水管洗浄装置であって、回転可能のボデーと、前記ボデーの周面に設けられる複数のノズルと、前記ボデーを支持するための脚部とからなり、前記ボデーは中空の筒状に形成され一端部にホースが接続され、前記ノズルは前記ボデーの周面に設けられ、前記脚部が適宜数のジョイントからなることを特徴とする。
また、請求項１記載の下水管洗浄装置において、前記脚部は前記ボデーの周面に所定角に拡開されて設けられることを特徴とする。
また、請求項１又は請求項２記載の下水管洗浄装置において、前記脚部の先端にはそりが設けられることを特徴とする。
また、請求項１記載の下水管洗浄装置において、上記ボデーの両端部にベアリングを取り付けることを特徴とする。
また、請求項１記載の下水管洗浄装置において、前記ボデーが八角柱体状であることを特徴とする。
また、請求項１記載の下水管洗浄装置において、前記ボデーが円筒体状であることを特徴とする。
また、請求項１記載の下水管洗浄装置において、前記ノズルが８本であることを特徴とする。
また、請求項１記載の下水管洗浄装置において、前記ボデーの他端部は閉塞されていることを特徴とする。
【発明の効果】
【０００８】
このように、本願発明にかかる下水管洗浄装置によれば、下水管の口径に対応させて脚部の長さ調節を事前に行なうことができるから、下水管２３の内壁を効率的に洗浄することができる。
【発明を実施するための最良の形態】
【０００９】
次に、実施の形態を示す図面に基づき本願発明による下水管洗浄装置をさらに詳しく説明する。なお、便宜上同一の機能を奏する部分には同一の符号を付してその説明を省略する。
【００１０】
本願発明による下水管洗浄装置１は、中空の正八角柱体に形成されたアルミニウム製のボデー３を有し、該ボデー３の８個の各周面にはパイプ６の先端に口の窄まったソケットを取付けたノズル５ａ乃至５ｈ（総称するとき「ノズル５」という）がそれぞれ１本ずつ設けられる。前記ボデー３は、両端部にねじ蓋９ａ，９ｂが着脱自在に螺着され、該ねじ蓋９ａの中央部には前記ボデー３内に設けられた散水分配機４に連通する孔１１が設けられており、該孔１１に回転可能にホース１３が接続される。該散水分配機４は上記ノズル５に連通する。
【００１１】
前記ねじ蓋９ａ，９ｂと前記ボデー３の連結部には溝１０，１０が設けられ、該溝１０，１０がステンレス製のブラケット１５及びブラケット１７によって軸支される。これにより、前記ボデー３はこれらのブラケット１５、１７間において回転可能となる。
【００１２】
前記ボデー３に設けられる８個のノズル５ａ乃至５ｈは、ボデー３の回転方向に等間隔（本実施例ではノズルが８個なので角度４５°刻み）で設けられ、それぞれ横方向（八角柱としてみたときの高さ方向）には等間隔であるため、螺旋状になっている。前記各ノズル５は前記ボデー３に連通され、前記ボデー３内に流入された洗浄水が各ノズル５より噴出するようになっている。
【００１３】
前記ブラケット１５及びブラケット１７には、それぞれ脚部７，７及び脚部８，８が固着され、該脚部７，７及び脚部８，８は所定の角度α（本例ではα＝９０°）をもって開脚されている。脚部７，７及び脚部８，８は伸縮自在のターンバックル１９，１９が取り付けられ、伸縮自在となっており、先端部に回動自在に各々一対のステンレス製のそり２１，２１が枢着される。これにより、ボデー３の高さは自在に変更できる。またこれにより、下水管の形に拘らず、例えば正円形の下水管であっても底部が平面の下水管であっても、そり２１の角度を調整することにより下水管洗浄装置１を下水管内に安定して設置することができる。
【００１４】
次に、正円形の下水管２３を例に、本願発明による下水管洗浄装置１の設置及び洗浄方法について説明する。まず、ボデー３の回転軸と下水管２３の中心軸とが一致するように、つまりボデー３の回転軸からそり２１，２１までの距離が下水管２３の半径と等しくなるように、脚部７，７及び脚部８，８の長さをターンバックル１９，１９によって調節する。
【００１５】
次に、ホース１３をボデー３の一端部に装着し他端部を塞いだ下水管洗浄装置１を図示しないマンホールより下水管２３内に挿入し、脚部７，７及び脚部８，８を内壁面２３ａに当接させ、さらにそり２１を内壁面２３ａの傾斜に合わせて角度調節する。
【００１６】
次に、ホース１３からボデー３内に洗浄水を注入すると、水圧により洗浄水は各ノズル５より噴出する。これによって、洗浄水が下水管２３の内壁全面に直角に噴射されるため、洗浄が効率的に行われる。そして、洗浄終了後、下水管底部に流れ落ちた土砂・汚水等（図４一点鎖線）が溜まっている場合には、ノズル５を、先端部が例えば角度４５°進行方向側に傾いた再洗浄用のノズル（図示省略）に付替えて再度洗浄作業を行い積極的に一方向に押し流すことができる。この場合、下側４本のノズルのみを上記した再洗浄用のノズルに交換しても良い。
【００１７】
なお、下水管洗浄装置１の移動はホース１３を人力で牽引したり、ボデー３を押したりして行ない、前進又は後進する。
【００１８】
洗浄終了後、必要な次作業例えば内壁のライニング作業をすることができる。
【００１９】
図５は本願発明による下水管洗浄装置１の他の実施の形態を示す。この場合ボデー３は、両端が閉塞された直径１００ｍｍのアルミニウム製の中空の円筒からなる。該ボデー３の円周面には等間隔にかつ螺旋状に８本のパイプ６が突設され、該各パイプ６の先端に口の窄まったソケットを取付けたノズル５ａ乃至ノズル５ｈ（総称するときは「ノズル５」という）が設けられる。上記ノズル５は上記ボデー３内に設けられた散水分配機４に連通する。
【００２０】
上記ボデー３の両端部には首部２５ａ、２５ｂが突設され、該首部２５ａ、２５ｂにユニットピロー型のベアリング２７ａ、２７ｂを取付け、ボデー３を回転可能に軸支する。２９は脚部３１ａ、３１ｂと首部２５ａ、２５ｂを連結する支承板である。一方の首部２５ａはホース１３に接続されるため開口される。
【００２１】
上記脚部３１ａ、３１ｂは、図８に示すように、複数のジョイント３３ａ乃至３３ｅからなり、下水管２３の口径に応じて適宜数のジョイント３３ａ乃至３３ｅを連設して長さを調節する。なお、図示例の場合、ジョイント３３ａの長さは１００ｍｍ、ジョイント３３ｂ乃至ジョイント３３ｅは５０ｍｍである。３３ｆはそり２１に固着され上記脚部３１ａ、３１ｂを回動可能に軸支するナックルジョイント、３３ｇは上記脚部３１ａ、３１ｂを上記支承板２９に固着する止めボルトである。上記脚部３１ａ、３１ｂ間の角度βは本例の場合４５°となっている。図６に２点鎖線で示すのはノズル５の最大配管範囲であり、本例の場合約１８８ｍｍである。
【００２２】
本実施の形態によれば、ベアリング２７ａ、２７ｂを取付けてあるからボデー３の回転が一層円滑となる効果がある。また下水管２３の口径より脚部３１ａ、３１ｂの長さ調節を作業前に予めなすことができるので、作業が一層効率化する効果がある。
【００２３】
本願発明は前記実施例に限定されない。例えば、各部材の素材は適宜に変更可能である。また、各部位の大きさは任意であるが、例えば下水管の内径を６００ｍｍ乃至１５００ｍｍ程度であると想定すると、そりを含めた下水管洗浄装置の全長は１０００ｍｍ程度が望ましく、この場合、ボデーの長さが３００ｍｍ程度、ノズルの長さが１００ｍｍ程度となる。
【００２４】
本願発明による下水管洗浄装置は直径５００ｍｍ乃至１０００ｍｍ程度の大口径下水管の洗浄に威力を発揮するが、適宜の大きさに縮小することにより直径２５０ｍｍ乃至４００ｍｍ程度の小口径下水管の洗浄にも使用することができる。
【００２５】
ノズルは下水管の径によって長さを変更することができる。また、例えば内管及び外管からなる伸縮自在のノズルを用いても構わない。また、ノズルの数は十分な洗浄効果が得られれば適宜変更可能である。また、ボデーの形状は任意である。
【産業上の利用可能性】
【００２６】
本願発明は、下水管を洗浄する下水管洗浄装置として活用することができる。
【図面の簡単な説明】
【００２７】
【図１】本願発明による下水管洗浄装置の実施の形態を示した正面図である。
【図２】図１の右側面図である。
【図３】図１Ａ部拡大斜視図である。
【図４】本願発明による下水管洗浄装置の使用状態を示す図である。
【図５】本願発明による下水管洗浄装置の他の実施の形態を示した正面図である。
【図６】図５の左側面図である。
【図７】図５の平面図である。
【図８】図５の脚部の分解図である。
【符号の説明】
【００２８】
１      下水管洗浄装置
３      ボデー
４      散水分配機
５      ノズル
６      パイプ
７      脚部
８      脚部
９ａ    ねじ蓋
９ｂ    ねじ蓋
１０    溝
１１    孔
１３    ホース
１５    ブラケット
１７    ブラケット
１９    ターンバックル
２１    そり
２３    下水管
２３ａ  内壁面  
２５ａ  首部
２５ｂ  首部
２７ａ  ベアリング
２７ｂ  ベアリング
２９    支承板
３１ａ  脚部
３１ｂ  脚部
３３ａ  ジョイント
３３ｂ  ジョイント
３３ｃ  ジョイント
３３ｄ  ジョイント
３３ｅ  ジョイント
３３ｆ  ナックルジョイント
３３ｇ  止めボルト
【図１】
0004984173.tif 000002
【図２】
0004984173.tif 000003
【図３】
0004984173.tif 000004
【図４】
0004984173.tif 000005
【図５】
0004984173.tif 000006
【図６】
0004984173.tif 000007
【図７】
0004984173.tif 000008
【図８】
0004984173.tif 000009